(57)【要約】【課題】テレビその他のリモコンに関するものであり、検査装置等の端子を容易に接続することが可能であり、かつ漏電やショートの危険が少ないリモコンを開発する。【解決手段】リモコン１は、リモコン本体２と蓋体３によって構成されている。リモコン本体２の下端部の背面側に電池収納部５が設けられ、電池収納部５には蓋体３が取り付けられている。リモコン本体２には、図２の用に蓋体取付用の凹部６が形成されており、蓋体３は凹部６の形状と合致する形状をしている。前記した凹部表面１５に二個の検査用端子１６，１７が設けられている。【選択図】図１
2007266731.tif 000002
【特許請求の範囲】
【請求項１】
リモコン本体と、リモコン本体に設けられた電池収納部と、前記電池収納部を覆う蓋体を有し、前記電池収納部に電池の端子と接触する電池接触用端子が設けられたリモコンにおいて、前記蓋体で覆われる部位に前記電池接触用端子とは別の検査用端子が設けられ、当該検査用端子はリモコン内部と導通することを特徴とするリモコン。
【請求項２】
検査用端子は、電池収納部の外に設けられていることを特徴とする請求項１に記載のリモコン。
【請求項３】
リモコン本体には蓋体が装着される凹部が設けられ、蓋体はリモコン本体の前記凹部に装着された状態においてリモコン本体と一体的なデザインを構成するものであり、検査用端子は、前記凹部の表面に設けられていることを特徴とする請求項２に記載のリモコン。
【発明の詳細な説明】
【技術分野】
【０００１】
本発明は、テレビ、ビデオデッキ、ラジオカセット装置、扇風機、クーラ等の家庭用電化製品その他のリモコンに関するものである。
【背景技術】
【０００２】
近年、家庭用電化製品にはリモコン操作が可能なものが多い。例えばテレビのチャンネル変更や、ビデオの再生、クーラの温度調節等をリモコンによる遠隔操作で行うことができるものが広く普及している。リモコンは電波や赤外線その他の無線通信手段によってテレビの本体等を動作させるものであるから、電源が必要であり、多くの場合、電池が内蔵されている。即ちリモコンは、本体部に電池収納部を有し、当該電池収納部に電池接触用端子が設けられている。
【０００３】
従来技術のリモコンは、電池接触用端子以外に、内部と導通する端子を持たない。またリモコンは、工場で生産されるが、出荷する前に所定の検査が行われる。この検査には、例えばリモコンに通電してリモコンが所定の機能を発揮するか否かといった機能検査や、電池接触用端子間の抵抗を測定するといった電気的検査がある。特許文献１には、リモコン検査装置が開示されている。特許文献１に開示されたリモコン検査装置は、リモコンの電池接触用端子から電源を供給し、所望の検査を行うものである。
【特許文献１】特開２００３−８７８８２号公報
【発明の開示】
【発明が解決しようとする課題】
【０００４】
従来技術のリモコンは、内部に導通する端子として電池接触用端子以外の端子を持たない。そのため従来技術のリモコンを検査するためには、特許文献１に記載された様に電池接触用端子から電源を供給しなけれはならない。
【０００５】
しかしながら電池供給端子は、奥まった位置に設けられたおり、検査側の端子を接触させにくいという問題がある。特に図３，４に示すような電池１０１を直線的に配置するタイプのリモコン１００では、一方の端子１０２が外部から直接目視できない位置に設けられている場合もあり、検査側の端子を接触させるのに苦労する。ここで試験用の端子を別途設ける方策が考えられるが、試験用端子をリモコンの外部に露出させると漏電やショートの危険がある。
【０００６】
そこで本発明は、従来技術の上記した問題点に注目し、検査装置等の端子を容易に接続することが可能であり、かつ漏電やショートの危険が少ないリモコンの開発を課題とするものである。
【課題を解決するための手段】
【０００７】
上記した課題を解決するための請求項１に記載の発明は、リモコン本体と、リモコン本体に設けられた電池収納部と、前記電池収納部を覆う蓋体を有し、前記電池収納部に電池の端子と接触する電池接触用端子が設けられたリモコンにおいて、前記蓋体で覆われる部位に前記電池接触用端子とは別の検査用端子が設けられ、当該検査用端子はリモコン内部と導通することを特徴とするリモコンである。
【０００８】
本発明のリモコンでは、電池接触用端子とは別に検査用端子が設けられている。そのため検査装置等の端子等を接続しやすい。また本発明では、検査用端子は蓋体で覆われる部位に設けられているから、通常の使用時においては検査用端子は露出しない。そのため漏電やショート等の不具合は無い。
【０００９】
請求項２に記載の発明は、検査用端子は、電池収納部の外に設けられていることを特徴とする請求項１に記載のリモコンである。
【００１０】
本発明のリモコンでは、検査用端子は、電池収納部の外に設けられているから、検査装置等の端子をより簡単に接続することができる。
【００１１】
請求項３に記載の発明は、リモコン本体には蓋体が装着される凹部が設けられ、蓋体はリモコン本体の前記凹部に装着された状態においてリモコン本体と一体的なデザインを構成するものであり、検査用端子は、前記凹部の表面に設けられていることを特徴とする請求項２に記載のリモコンである。
【００１２】
本発明のリモコンでは、蓋体はリモコン本体の凹部に装着される。そして蓋体は、リモコン本体と一体的なデザインを構成する。本発明のリモコンでは、検査用端子は凹部の表面に設けられているから、蓋を装着した状態においては検査用端子が蓋体でより完全に封鎖され、埃等が入りにくい。
【発明の効果】
【００１３】
本発明のリモコンは、検査の際に電源供給用の端子やテスター等を容易に接続することが可能であり、検査が容易である。また本発明のリモコンは、通常の使用時に検査用端子が露出しないので、ショート等の不具合もない。
【発明を実施するための最良の形態】
【００１４】
以下さらに本発明の実施形態について説明する。図１は、本発明のリモコン１を背面から観察した斜視図である。図２は、図１のリモコンの電池収納部の蓋体を取り外した状態の斜視図である。本実施形態のリモコン１は、例えばテレビやクーラのリモコンであり、表面側（図示せず）に各用途に応じたスイッチが設けられている。
【００１５】
例えばテレビに使用するリモコンであれば、電源オンオフの他にチャンネル変更、音量変更等のスイッチが設けられている。またビデオデッキであるならば、再生、早送り、巻き戻し、録画予約等のスイッチが設けられ、クーラであるならば、温度昇降、ルーバ動作、予約等のスイッチが設けられている。これらのスイッチについては、公知のものと同一であるから、説明を省略する。
【００１６】
本実施形態のリモコン１は、リモコン本体２と蓋体３によって構成されている。そしてリモコン本体２の下端部の背面側に電池収納部５が設けられ、電池収納部５には蓋体３が取り付けられている。電池収納部５に蓋体３が取り付けられた状態は、図１の通りであり、蓋体３とリモコン本体２は調和の取れた一体的なデザインを構成する。即ちリモコン本体２には、図２の用に蓋体取付用の凹部６が形成されており、蓋体３は当該凹部６の形状と合致する形状をしている。そのためリモコン本体２に蓋体３を挿着すると、外観上の凹凸形状が消失し、一体的なデザインとなる。
【００１７】
なお本実施形態で採用する蓋体３は、公知の蓋体と同様に係止爪９が設けられており、リモコン本体２に設けられた係合孔１０に係止爪９を係合させることによって蓋体３がリモコン本体２に取り付けられる。
【００１８】
電池収納部５は、前記した蓋体取付用の凹部６内にあり、凹部６の一部をさらに凹形に成形した部位であり、図１に示すように電池を平行姿勢に並べて配置するものである。電池収納部５は、例えば単三型や単四型の乾電池を収納することができる。電池収納部５には電池接続端子１０，１１が設けられている。
【００１９】
電池収納部５は、前記した様に蓋体取付用の凹部６内にある。そして電池収納部５の開口面積は、蓋体取付用の凹部６の一部であって蓋体取付用の凹部６の面積よりも小さい。具体的には、電池収納部５は、図２の様に図面左側に寄った位置に設けられている。従って電池収納部５の図面右横側には、相当面積の凹部表面１５が存在する。
【００２０】
そして本実施形態では、凹部表面１５に二個の検査用端子１６，１７が設けられている。検査用端子１６，１７は、リモコン本体２内の基板（図示せず）と導通するものである。例えば図示しない内部基板のプラス側入力端子とマイナス側入力端子からそれぞれ導線を引き回して検査用端子１６，１７に接続してもよい。あるいは図示しない基板に直接端子を設け、この端子を凹部表面１５に露出させて検査用端子１６，１７としてもよい。
【００２１】
本実施形態のリモコン１を検査する場合には、例えば治具に検査用端子１６，１７と接触する端子を設け、当該治具に蓋体３を外した状態のリモコン１を挿着することにより行う。蓋体３を外した状態においては、検査用端子１６，１７が外部に露出することとなるので、治具への挿着は極めて容易である。また治具も簡単にもので足る。一方、蓋体３を取り付けると、検査用端子１６，１７は蓋体３で覆い隠され、検査用端子１６，１７が汚れたりショートすることはない。
【００２２】
特に本実施形態では、検査用端子１６，１７は蓋体取付け様の凹部表面１５に設けられている。そのため蓋体３を取り付けた状態においては蓋体３とリモコン本体２との接触面積が広く、外部から検査用端子１６，１７に至る距離が長い。そのため蓋体３を取り付けた状態においては検査用端子１６，１７の部位に埃等が進入しにくく、ショート等の危険は少ない。
【００２３】
以上説明した実施形態では、乾電池を使用するリモコンを例として説明したが、もちろんボタン電池等の他の形状の電池を使用するリモコンにも本発明を応用することができる。また上記した実施形態では、プラス側の検査用端子及びマイナス側の検査用端子として二個の検査用端子１６，１７を設けた例を示したが、検査用端子を一個だけ設け、他の一個を電池接続端子１０，１１のいずれかと共用させることもできる。
【図面の簡単な説明】
【００２４】
【図１】本発明のリモコンを背面から観察した斜視図である。
【図２】図１のリモコンの電池収納部の蓋体を取り外した状態の斜視図である。
【図３】従来技術のリモコンの電池収納部を示す斜視図である。
【図４】図３のリモコンの電池収納部の蓋体を取り外した状態の斜視図である。
【符号の説明】
【００２５】
１  リモコン
２  リモコン本体
３  蓋体
５  電池収納部
６  蓋体取付用の凹部
１０，１１電池接続端子
１６，１７検査用端子
【図１】
2007266731.tif 000003
【図２】
2007266731.tif 000004
【図３】
2007266731.tif 000005
【図４】
2007266731.tif 000006